(57)【要約】  ペット給餌システムの持ち上げられたスタンドの上部表面は、それぞれのフードボールおよび水ボールを取り外し可能に取り付けることができるボール受口を画定している。スタンドの上部表面の第１のゾーンは、それぞれのボール受口を横方向に取り囲む上方凸状リングを含む。スタンドの上部表面の第２のゾーンは、指切り欠き部によって分断されている箇所を除いて、第１のゾーンを横方向に取り囲む。各ボールは、スタンドの上方凸状リング上にはまる下方凹状リングとして形成された下面を有する外周リップを有する。ボールの縁は、凸状リングの上限より低い位置にある第２のゾーン上に載っている。スタンドの基部は、スタンドの横方向の動きを防ぎ、スタンド中心を中心としたスタンドの回転を防ぐように、弾性マットの直立リブと協働する。
2019510516.tif 000002
【特許請求の範囲】
【請求項１】
ペット給餌システムであって、
前面と、該前面の反対側にある後面と、該前面を該後面に結合している第１の側部および第２の側部と、該前面、後面、ならびに第１の側部および第２の側部を接続している上部と、を有するスタンドであって、該上部が、少なくとも１つのボール開口部を画定し、該スタンドの少なくとも１つの壁が、該上部から下方に延在し、少なくとも１つのスタンド基部で終わる、スタンドと、
該少なくとも１つのボール開口部内に取り外し可能に受容された、少なくとも１つのボールと、
マットと、
を備え、該スタンドが、該マット上のスタンド垂直中心に取り外し可能に位置付けられ、該マットの機構が、該マットに対する該スタンドのあらゆる横方向の横の変位も防ぐように該少なくとも１つのスタンド基部の機構と協働し、かつ該マットに対する該垂直スタンド中心を中心とした該スタンドの回転を妨げ、該マットの該機構のすべてが、該少なくとも１つのスタンド基部の横方向内側に配設されている、ペット給餌システム。
【請求項２】
前記マットが、前記スタンド基部を受容するための全体上面を有し、該マットの前記機構が、該マットの該全体上面から上方に延在する少なくとも１つの隆起特徴部を含み、該少なくとも１つの隆起特徴部が、スタンド基部の非水平面と嵌合している、請求項１記載のシステム。
【請求項３】
前記スタンドの前記少なくとも１つの壁が、前記スタンド垂直中心に面する内面を有し、前記少なくとも１つの隆起特徴部が該少なくとも１つ壁の該内面の横方向内側に配設されている、請求項２記載のシステム。
【請求項４】
前記スタンドの前記少なくとも１つの壁が、該スタンドの前記第１の側部を形成し、かつ第１のスタンド脚部で終わる第１の側壁であり、該スタンドの第２の側壁が、該スタンドの前記第２の側部を形成し、かつ第２のスタンド脚部で終わり、該第１の側壁および第２の側壁の各々が、それぞれの内面を有し、前記マットの前記少なくとも１つの隆起特徴部が、該マット上に形成された第１の隆起特徴部および第２の隆起特徴部のうちの一方であり、該第１の隆起特徴部の横方向外面が、該第１の側壁の該内面にはまり、該第２の隆起特徴部の横方向外面が、該第２の側壁の該内面にはまっている、請求項３記載のシステム。
【請求項５】
前記マットの前記第１の隆起特徴部および第２の隆起特徴部の前記横方向外面が、前記垂直スタンド中心に対して上方かつ内向きに傾斜している、請求項４記載のシステム。
【請求項６】
前記第１の側壁の前記内面および前記第２の側壁の前記内面が、前記垂直スタンド中心に対して凹状弓形であり、前記マットの前記第１の隆起特徴部および第２の隆起特徴部の前記横方向外面が、該スタンド垂直中心に対して凸状弓形である、請求項４記載のシステム。
【請求項７】
前記マットの前記第１の隆起特徴部および第２の隆起特徴部の前記横方向外面の弧の半径が該横方向外面から前記スタンド垂直中心への横方向距離よりも短い、請求項４記載のシステム。
【請求項８】
前記マットの前記第１の隆起特徴部および第２の隆起特徴部が、中空リブである、請求項４記載のシステム。
【請求項９】
前記スタンド基部が、前記スタンド垂直中心に対して、前記スタンドの前記少なくとも１つの壁から横方向外向きに延在する脚部フランジを含む、請求項１記載のシステム。
【請求項１０】
前記マットが、ある面積を有する上部表面を有し、前記少なくとも１つのスタンド基部が、該マットの該上部表面の該面積よりも小さい側方エリアを画定し、該マットが、該少なくとも１つのスタンド基部の前方に配設された前エリアと、該少なくとも１つのスタンド基部の後方に配設された後ろエリアと、を有し、該マットの該前エリアが、該マットの該後ろエリアよりも大きい、請求項１記載のシステム。
【請求項１１】
前記マットの前へりが、凸状に湾曲し、該マットの後ろへりが、直線である、請求項１０記載のシステム。
【請求項１２】
前記第１の隆起特徴部が、第１のリブであり、前記第２の隆起特徴部が、第２のリブであり、該第１のリブおよび第２のリブが、横断方向に互いから離間され、かつマットの中心に対して凹状弓形であり、
該第１のリブと第２のリブとの間に延在する該マットの上部表面が、前から後ろの方向に、凸状のアーチ型にたわんでいる、請求項４記載のシステム。
【請求項１３】
前記スタンドの前記上部が、離間された第１のボール開口部および第２のボール開口部を画定し、各ボール開口部に関して、ボールが該ボール開口部内に取り外し可能に受容され、該ボールのすべての上縁が、水平上部平面内に実質的にあり、
各ボールが、該上部平面に対して直角のボール軸上に配設され、かつ該スタンドの前記中心から離間され、該ボール軸から、該スタンドの前記前面に近接する該ボールの該上縁まで、該上部平面内に引かれた該ボールの第１の半径が、該ボール軸から、該スタンドの側部に近接する該ボールの該上縁まで、該上部平面内に引かれた該ボールの第２の半径よりも大きい、請求項１記載のシステム。
【請求項１４】
各ボールの前記上縁が、前記スタンドの前記前面に近接して配設された前部分と、該スタンドの側部に近接して配設された横部分と、を有し、各ボールに関して、該ボールの該上縁の該前部分から、前記ボール軸までの抜き勾配が、該ボールの該上縁の該横部分から該ボール軸までの抜き勾配よりもなだらかである、請求項１３記載のシステム。
【請求項１５】
ペット給餌システムにおいて、
前面と、該前面の反対側にある後面と、該前面を該後面に結合している第１の側部および第２の側部と、該前面、後面、ならびに第１の側部および第２の側部を接続している上部と、を有するスタンドであって、該スタンドの少なくとも１つの側壁が、該上部から下方に延在し、かつ少なくとも１つのスタンド基部で終わる、スタンドと、
該上部に形成された少なくとも１つのボール受口であって、垂直軸を中心として形成され、外周部を有する、少なくとも１つのボール受口と、
第１のゾーンおよび第２のゾーンを有する、該上部の上部表面であって、該第１のゾーンが、該少なくとも１つのボール受口の該外周部に隣接して配設され、該第１のゾーンが、該少なくとも１つのボール受口の該外周部を横方向に取り囲む上方凸状リングを有し、該上方凸状リングが、上限を有し、該第２のゾーンが、該第１のゾーンに隣接し、かつ該第１のゾーンから半径方向外向きに延在するように配設され、該第２のゾーンが、該凸状リングの該上限より低く配設されている上部表面と、
前記システムの使用者によって該少なくとも１つのボール受口内に取り付けられ、かつそこから取り外されるように適合され、かつ外周リップを有する少なくとも１つのボールであって、該外周リップの下面が、該少なくとも１つのボール受口の該凸状リング上にはまる凹状リングとして形成されている、少なくとも１つのボールと、
を備える、ペット給餌システム。
【請求項１６】
前記少なくとも１つのボールの前記外周リップが、縁で終わり、該少なくとも１つのボールの該縁が、該少なくとも１つのボールが前記少なくとも１つのボール受口内に取り付けられたとき、前記スタンドの前記上部表面の前記第２のゾーンと接触し、前記第１のゾーンの前記凸状リングの前記上限が、該少なくとも１つのボールが該少なくとも１つのボール受口内に取り付けられたとき、該少なくとも１つのボールの該縁よりも高い、請求項１５記載のペット給餌システム。
【請求項１７】
前記スタンドの前記上部表面の前記第２のゾーンが、平坦、かつ前記垂直軸に対して垂直である、請求項１６記載のペット給餌システム。
【請求項１８】
前記スタンドの前記上部の前記上部表面が、前記第２のゾーンから横方向外向きに延在する第３のゾーンをさらに含み、該第３のゾーンの全面が、下方に傾斜し、前記第１のゾーンから横方向外向きにある、該スタンドの該上部の該上部表面の全面が、前記軸に対して水平であるか、または下方かつ外向きに傾斜している、請求項１５記載のペット給餌システム。
【請求項１９】
前記少なくとも１つのボール受口が、前記スタンドの前記上部表面の前記第１のゾーンから下方かつ半径方向内向きに延在する受口側壁を有し、所与の水平平面でとられたある点における該受口側壁の傾斜が、前記垂直軸に対して該点の水平角度位置の関数として変化し、
前記少なくとも１つのボールの中心が、該少なくとも１つのボールが該少なくとも１つのボール受口内に取り付けられたとき、該垂直軸上に配設され、該少なくとも１つのボールのボール側壁が、該少なくとも１つのボールの前記外周リップから、該中心に向かって下方かつ半径方向内向きに延在し、該所与の水平平面内で該ボール側壁のある点でとられた該ボール側壁の傾斜が、該軸に対して該ボール側壁上の該点の該水平角度位置の関数として変化し、該ボール側壁の最後の該傾斜が、同じ水平角度位置の該受口側壁の最後の該傾斜と実質的に同一である、請求項１５記載のペット給餌システム。
【請求項２０】
前記所与の角度位置の前記受口側壁の前記傾斜が、該所与の角度位置の前記ボール側壁の前記傾斜よりも約１／２から約２度の範囲急勾配である、請求項１９記載のペット給餌システム。
【請求項２１】
前記少なくとも１つのボール受口が、前記スタンドの前記上部を貫通している開口部を含む、請求項１５記載のペット給餌システム。
【請求項２２】
前記スタンドの前記上部の前記上部表面の前記第２のゾーンが、指切り欠き部を除いて前記第１のゾーンを横方向に取り囲み、該第２のゾーンが、前記垂直軸に対して水平であるか、または外向きかつ下方に、半径方向に傾斜しており、該指切り欠き部の床が、該第２のゾーンよりも軸方向に低く、該指切り欠き部の離間された左側壁および右側壁によって該第２のゾーンに結合され、該指切り欠き部の半径方向内向き壁が、該指切り欠き部が前記少なくとも１つのボール受口まで貫通して内向き半径方向に延在しないように、前記凸状リングの外壁に結合され、該指切り欠き部の該床が、前記少なくとも１つのボールが該少なくとも１つのボール受口内に取り付けられたとき、該少なくとも１つのボールの前記外周リップの前記縁の下を内向きに延在する、請求項１５記載のペット給餌システム。
【請求項２３】
前記指切り欠き部の前記左壁の上端が、約１インチ（約２．５センチメートル）の幅だけ、該指切り欠き部の前記右壁の上端から離間されている、請求項２２記載のペット給餌システム。
【請求項２４】
前記少なくとも１つのボール受口が、ペットに近接して配設される前面と、該ペットから離れて配設される背面と、を有し、前記指切り欠き部が、該少なくとも１つのボール受口の該背面に位置付けられている、請求項２２記載のペット給餌システム。
【請求項２５】
前記少なくとも１つのボール受口が、前記スタンドの前記上部に形成された第１のボール受口および第２のボール受口のうちの一方であり、前記少なくとも１つのボールが、該第１のボール受口および第２のボール受口内にそれぞれ受容されるように適合された第１のボールおよび第２のボールのうちの一方である、請求項１５記載のペット給餌システム。
【請求項２６】
前記少なくとも１つのボールが、水平平面内にある上部外周部と、該水平平面内に配設され、かつ前記垂直軸に対して垂直な該ボールの長軸と、該水平平面内に配設され、かつ該長軸および垂直軸に対して垂直な短軸と、を有し、該長軸でとられた該少なくとも１つのボールの直径が、該短軸でとられた該少なくとも１つのボールの直径よりも大きい、請求項１５記載のペット給餌システム。
【請求項２７】
ペット給餌システムにおいて、
上面を有するマットと、
該マットと一緒に一体的に成形された中央ピアであって、該ピアの側壁が、該マットの該上面から該ピアの上部表面まで上方に延在している、中央ピアと、
該ピアの該上部表面、かつ垂直軸上に形成された少なくとも１つのボール受口であって、該ピアの該上部表面の第１のゾーンが、該少なくとも１つのボール受口に隣接して配設され、該第１のゾーンが、該少なくとも１つのボール受口を横方向に取り囲む上方凸状リングを含み、該ピアの該上部表面の第２のゾーンが、該第１のゾーンに隣接し、かつ該第１のゾーンから半径方向外向きに延在するように形成され、該ピアの該上部表面の該第２のゾーンが、平坦であるか、または半径方向外向きかつ下方に傾斜しているかのいずれかであり、該ピアの該上部表面の第３のゾーンが、該第２のゾーンを横方向に取り囲み、該ピアの該上部表面の該第３のゾーン上のすべての点が、半径方向外向きかつ下方に傾斜している、少なくとも１つのボール受口と、
該少なくとも１つのボール受口内に受容されるように適合された少なくとも１つのボールであって、該ボールの外周リップの下面が、該少なくとも１つのボール受口の該上方凸状リング上にはまる下方凹状リングを形成している、少なくとも１つのボールと、
を備える、ペット給餌システム。
【請求項２８】
前記少なくとも１つのボールの前記外周リップが、外縁を有し、該外縁が、該ボールが前記少なくとも１つのボール受口内に取り付けられたとき、前記ピアの前記上部表面の前記第２のゾーン上に載る、請求項２７記載のペット給餌システム。
【請求項２９】
前記ピアの前記上部表面の前記第２のゾーンが、該第２のゾーンが指切り欠き部によって分断されている場所を除いて、該ピアの該上部表面の前記第１のゾーンを横方向に取り囲み、該指切り欠き部が、該ピアの前記側壁から該第１のゾーンまで内向きに延在し、該指切り欠き部の床が、該第２のゾーンよりも低くなるように配設されている、請求項２７記載のペット給餌システム。
【請求項３０】
前記マットが、下面を有し、前記少なくとも１つのボール受口が、閉鎖されており、該マットの該下面まで、前記ピアの前記上部を貫通する開口部を形成していない、請求項２７記載のペット給餌システム。
【請求項３１】
前記ピアが、前面と、該前面の反対側にある背面と、該前面を該背面に結合している側部と、を有し、前記少なくとも１つのボールが、楕円形であり、かつ上部外周部を有し、該上部外周部で前面から背面の方向にとられた該ボールの長軸が、該上部外周部で左右方向にとられた該ボールの短軸よりも長い、請求項２７記載のペット給餌システム。
【請求項３２】
前記少なくとも１つのボール受口が、横方向に離間された第１のボール受口および第２のボール受口のうちの一方であり、第２のゾーンが、該第１のボール受口および第２のボール受口をそれぞれ取り囲み、前記ピア上部表面の第３のゾーンによって離間され、前記少なくとも１つのボールが、該第１のボール受口および第２のボール受口内へそれぞれ取り付けられ、かつそこから取り外されるように適合可能な第１のボールおよび第２のボールのうちの一方である、請求項２７記載のペット給餌システム。
【発明の詳細な説明】
【技術分野】
【０００１】
本開示は、ペット給餌システムに関する。
【背景技術】
【０００２】
イヌまたはネコに給餌するための従来の手段は、床の上にフードのボールおよび水のボールを置くことである。最近になって、フードボールおよび水ボールを床から持ち上げたペット給餌ステーションが、開発された。これによって、フードおよび水がペットにとって便利な高さに置かれるようになる。
【０００３】
特にイヌは、食べるときに汚し得る。最適なペット給餌ステーションまたはペット給餌システムは、ペットが容易にアクセスすることができ、容易にきれいにすることができ、かつ最低限のフードおよび水のはみだしをもたらすものである。ネコ、特にイヌが食べるとき、フードボールおよび水ボールは、至るところに滑っていく傾向があり得、これらの四肢動物は、多くの場合、自身のフードボールまたは水ボールを、自身の足で適所に押さえておかない。より大きいイヌは、自身の頭の動きだけで自身のフードボールまたは水ボールを容易にずらす程、大きい場合がある。このように、従来の容器を備えたペット給餌場所は、はみ出た食べかすの発生源になる傾向があるため、時折、望ましくない有害生物が集まる。
【０００４】
特にイヌは、細長い鼻および下顎を有する。従来のペットボールは、扁平な半球のような形をした内面を有し、典型的なイヌの頭部の形状との十分な適合をもたらさない。これは、犬にとって、食べることが徐々に困難になっていき、形状の不一致が、より多くのはみ出た食べかすおよび水はねを発生させる傾向がある。したがって、ペットにとっての不便さまたは不快感を最小化する一方で、同時にペットが夕食を食べることによって発生する残骸を抑制し、残骸にうまく対処するペット給餌システムが必要とされている。
【発明の概要】
【０００５】
本発明の一態様によるペット給餌システムは、スタンドと、スタンドの上部表面に形成されたボール開口部内にそれぞれ取り外し可能に受容された少なくとも１つのボールと、を有する。そのように取り付けられたとき、ボールの上縁は、実質的に水平上部平面内にある。ボールは、上部平面内、かつスタンドの前面に向かって引かれた、垂直ボール軸からボール上縁までの第１の半径が、上部平面内、かつスタンドの側部に向かって引かれた、垂直ボール軸からボール上縁までの第２の半径よりも大きいように、細長い。
【０００６】
好ましくは、ボール内面の前部分の、かつ垂直基準に対してとったボール内面の角度は、ボール内面の側部および／または背面部分のボール内面の対応する角度よりも大きい。ボールの手前が細長く、ボール前部の抜き勾配がなだらかになっていることで、給餌するペット、特に、イヌなどの顕著な鼻および下顎を有するペットにとっての、ボールへのアクセスがより快適なものになる。
【０００７】
本発明の別の態様では、ペット給餌システムは、垂直軸を中心として形成された少なくとも１つのボール開口部を画定した上部表面を有するスタンドを有する。ボールは、ボール開口部内に取り外し可能に受容されている。ボールの上縁は、垂直軸に対して直角な上部平面内に実質的にある。ボールは、ボールの上縁から上部平面内で半径方向外向きに延在する外周リップを有する。このリップは、所定の幅を有する。スタンドの上部表面は、実質的にボールリップ幅以下の幅を有する、ボール開口部にすぐ接して取り囲む第１のゾーンと、第１のゾーンによってボール開口部から横方向に離間された第２のゾーンと、の２つのゾーンからなる。第２のゾーンの全表面は、はみ出た食べかすおよび水粒子をより良好に落とすように、下方に傾斜している。第１のボールおよび第２のボールを提供する実施形態では、第１のゾーンは、第１のボール開口部にすぐ接して取り囲む第１の部分と、第２のボール開口部にすぐ接して取り囲む第２の部分と、を有する。第２の部分の幅は、実質的に所定のボールリップ幅以下である。上部表面の第２の下方に傾斜したゾーンが、第１のゾーンの第１の部分を第１のゾーンの第２の部分から離している。
【０００８】
本発明のさらなる態様では、ペット給餌システムは、上部表面を有するスタンドを有する。離間された第１のボール開口部および第２のボール開口部は、スタンドの上部表面に形成されている。各ボール開口部は、湾曲した外周を有する。開口部の軸に対して直角に引かれた、開口部の前面から後面までの直径は、開口部の側部から側部までの直径よりも大きい。各ボール開口部に対して、ボールが設けられている。各ボールは、手で開口部内に置かれ、開口部から取り外されるように適合されており、それぞれのボール開口部の湾曲した外周と嵌合する楕円形の形状を有する。
【０００９】
本発明の別の態様では、ペット給餌システムは、スタンドを有する。スタンドの上部表面は、離間された少なくとも第１のボール開口部および第２のボール開口部を画定している。ボールは、各ボール開口部内に取り外し可能に受容されている。そのように受容されたとき、各ボールの上縁は、水平上部平面内に実質的にある。各ボールに関して、垂直ボール軸からボールの上縁まで、かつスタンドの前面に向かって引かれた第１の半径は、垂直ボール軸からボールの上縁まで、かつスタンドの側部に向かって引かれた第２の半径よりも大きい。一実施形態では、ボールの最長半径は、互いに対して平行である。一実施形態では、各ボールの前部分の抜き勾配は、各ボールの横部分の抜き勾配よりもなだらかであり、ペットがボールにアクセスするのをより容易にする。
【００１０】
本発明のさらなる態様では、ペット給餌システムは、スタンド、少なくとも１つのボール、およびマットを含む。スタンドの上部表面は、ボールが取り外し可能に受容される開口部を画定している。マットの機構は、いずれの横方向へのスタンドのずれを防ぎ、マットに対する、スタンド中心を中心とした回転を妨げるように、スタンドの基部の機構と協働する。一実施形態では、このマット機構は、スタンド基部の横方向内側にあり、少なくとも１つの、マットの全体上面に対して隆起した特徴部を含む。隆起特徴部は、基部の非水平面と協働する。一実施形態では、スタンドは、スタンド上部表面から下方に延在し、脚部で各々終わる第１の側壁および第２の側壁を有する。マットは、第１の隆起特徴部および第２の隆起特徴部を有し、これらの特徴部の横方向外面は、第１の壁および第２の壁のそれぞれの内面と協働する。組み立てられたとき、マット隆起特徴部は、スタンド壁の内側、好ましくは、見えないところにあり、食べかすおよび水から保護される。一実施形態では、スタンドの前方のマットのエリアは、スタンドの後方のマットのエリアよりも広く、ペットの前足を乗せられる。
【００１１】
本発明の一態様では、本ペット給餌システムは、（ペットによって、または別の方法で）前面、背面、または側部から加えられ得るせん断力に対する抵抗力が強化されている。ボール上縁は、スタンド上部表面の肩部から内向きにずらされており、この肩部は、スタンド基部から内向きにずらされている。スタンドの傾いた前面、傾いた後面、および傾いた側壁は、前面、背面、または側部の衝撃に対する備えである。
【００１２】
本発明のさらに別の態様では、本ペット給餌システムは、スタンドと、スタンドの上部に形成された少なくとも１つのボール受口と、そのボール受口内に取り外し可能に取り付けるための少なくとも１つのボールと、を有する。スタンドの上部の上部表面は、第１のゾーンおよび第２のゾーンを有する。第１のゾーンは、ボール受口の外周部に隣接するように配設され、ボール受口を横方向に完全に取り囲む上方凸状リングを有する。第２のゾーンは、第１のゾーンから半径方向外向きに延在し、凸状リングの上限より低く配設されている。ボールの外周リップの下面は、スタンド上部表面の凸状リング上にはまる凹状リングとして形成されている。一実施形態では、ボールの外周リップの縁は、この縁が凸状リングの上限よりも低くなるように、上部表面の第２のゾーン上に載っている。
【００１３】
一実施形態では、ボール受口の側壁は、凸状リングから下方かつ内向きに傾斜している。この側壁の傾斜は、ボール軸を中心とした横方向の角度の関数として変化し、背面に対してよりも、ボール受口の前面に対して大幅になだらかであってもよい。ボール側壁の傾斜は、同じように変化し、ボールの傾斜は、ボール軸を中心とした任意の特定の水平角度で、かつ任意の特定の水平平面内で、ボール受口の傾斜と実質的に似ているが、この傾斜よりもわずかに急勾配である。
【００１４】
一実施形態では、指切り欠き部は、スタンド上部表面の第２のゾーンを分断するが、上方凸状リングは分断していない。指切り欠き部の床は、スタンド上部表面の第２のゾーンの高さよりも低いところに位置し、ボールがボール受口内に取り付けられたときにボール縁の半径方向内向きにある内壁まで、内向きに進む。これにより洗浄および充填のための、ボール受口からのボールの取り外しが容易になる。
【００１５】
本発明の別の態様では、本ペット給餌システムは、マットおよび少なくとも１つのボールを含むが、スタンドは含まない。代わりに、中央ピアまたはメサ（ｍｅｓａ）が、マットの全体および周囲上部表面から上方に延在するように、マットと一体的に成形されている。少なくとも１つのボール受口は、ピア上部表面に形成されている。ピア上部表面は、ボール受口を横方向に取り囲む上方凸状リングを有する第１のゾーンを有する。ピア上部表面の第２のゾーンは、第１のゾーンに隣接し、第１のゾーンから半径方向外向きに延在している。第２のゾーンは、平坦であってもよいか、または半径方向外向きかつ下方に傾斜していてもよい。ボールの外周リップの下面は、ピア上部表面上の上方凸状リング上にはまるように、下方凹状リングとして形成されている。一実施形態では、指切り欠き部は、ボール受口を取り囲む第２のゾーンを分断しているが、凸状リングは分断しておらず、第２のゾーンよりも低いところに配設された床を有する。洗浄および充填に関しては、この指切り欠き部によって、ピアからボールを容易に取り外すために指を挿入することが可能になる。一実施形態では、ボール受口は、マットの底面への開口部がないように、閉鎖されている。
【図面の簡単な説明】
【００１６】
本発明のさらなる態様およびこれらの態様の利点を、以下の詳細な説明で理解することができ、その説明において、類似の文字は、類似の部分を示す。
【図１】組み立てられた状態で示された、本発明によるペット給餌システムの上面等角図である。
【図１Ａ】本発明の説明で使用する三次元基準座標系の図面である。
【図２】図１で紹介したペット給餌システムの組立分解等角図である。
【図３】本発明と一緒に使用するためのボールの上面図である。
【図４】図３に示すボールの側面図である。
【図５】給餌するイヌの鼻および顎に対するボール内面の関係を示す、図３および図４に示すボールの概略側面図である。
【図６】スタンドのボール開口部内に取り付けられたボールの側面立面詳細図である。
【図６Ａ】本発明による別のボールの側面立面詳細図である。
【図６Ｂ】予定されるボールの形状を示す、ボール外周部の上部平面でとった、ボール外周部の概略図である。
【図７】本発明と一緒に使用するためのスタンドの底面等角図である。
【図８】本発明と一緒に使用するためのマットの上面斜視図である。
【図８Ａ】本発明と一緒に使用するための別のマットの上面斜視図である。
【図８Ｂ】図８Ａの８Ｂ−８Ｂの線に実質的に沿ってとった断面図である。
【図９】組み立てられたペット給餌システムの前面断面図である。
【図１０】組み立てられたペット給餌システムの側面断面図である。
【図１１】給餌するペットに対する本発明によるペット給餌システムの空間的関係を示す、本ペット給餌システムの上面斜視図である。
【図１２Ａ】本発明のペット給餌システムで使用するためのスタンドのさらなる実施形態の上面背面斜視図である。
【図１２Ｂ】ボールがスタンドの左ボール受口内に取り付けられて示されたさらなる実施形態である、図１２Ａに示すスタンドの部分上面背面斜視図である。
【図１３】図１２Ｂの１３−１３の線に実質的に沿ってとった長手方向断面の詳細図である。
【図１４】図１２Ｂの１４−１４の線に実質的に沿ってとった長手方向断面の詳細図である。
【図１５】本発明と一緒に使用するためのマットのさらなる実施形態の上面斜視図である。
【図１５Ａ】図１５の１５Ａ−１５Ａの線に実質的に沿ってとった長手方向断面図である。
【図１５Ｂ】図１５の１５Ｂ−１５Ｂの線に実質的に沿ってとった横方向断面図である。
【図１６】２つのボールがマットに一体的に形成された受口内に取り付けられたところを示す、本発明によるさらなるペット給餌システムの上面斜視図である。
【図１７】図１６に示すペット給餌システムの分解図である。
【図１８】図１６および図１７に示すペット給餌システムで使用されるマットの底面斜視図である。
【図１９】図１６の１９−１９の線に実質的に沿ってとった長手方向断面の詳細図である。
【図２０】図１６の２０−２０の線に実質的に沿ってとった横方向断面の詳細図である。
【発明を実施するための形態】
【００１７】
ペット給餌システムは、全体的に図１において１００で示される。この例示される実施形態では、給餌システム１００は、第１のボール１０２および第２のボール１０４、スタンド１０６、ならびにマット１０８の４つの構成要素を有する。他の実施形態では、そのようなボールが１つだけあってもよいか、または３つ以上のボールがあってもよい。
【００１８】
スタンド１０６は、連続する湾曲した壁によって左側部１１２に結合され、連続する湾曲した壁によって右側部１１４に結合された前面１１０を有する。前面１１０は、その中心で凹状に湾曲している。上部１１５は、前面１１０、左側部１１２、および右側部１１４と一体的に成形され、それらにわたって広がる。スタンド上部１１５は、スタンド上部表面１１６を有する。スタンド１０６は、例えば、図７に示される後面または背面側部１１８をさらに有し、この背面側部１１８に、左側部１１２および右側部１１４が、それぞれの連続する湾曲した壁によって結合されている。左側部１１２および右側部１１４は、上部１１５からそれぞれ左基部１２０および右基部１２２まで下方に延在している。例示される実施形態では、基部１２０および基部１２２は、別個であり、互いから「ｙ」方向、横方向、または幅方向に離間されている（図１Ａを参照されたい）。他の実施形態では、基部１２０、１２２は、互いに連続して、途切れない外周を有する単一の基部を形成していてもよいか、または、例えば２つの別個の左脚部および２つの別個の右脚部（図示せず）をさらに生じるために、分かれていてもよい。
【００１９】
ボール１０２、１０４は、ステンレス鋼から型打ちされてもよく、一実施形態では、研磨されていてもよい。より具体的には、ボール１０２、１０４は、３０１タイプまたは３０４タイプなどの３００系ステンレス鋼から型打ちされてもよく、さらにより具体的には、ヒトが飲食する食物用の容器および器具のために使用される３０４タイプステンレス鋼から型打ちされてもよい。したがって、ボール１０２、１０４は、きれいに保ちやすく、微生物汚染を含まない。各ボール１０２、１０４は、上縁１２４と、上縁１２４から下方かつ内向きに延在する内面１２６を有する。各ボール１０２、１０４は、スタンド１０６内に受容されたとき、水平平面内、すなわちｘｙ平面内に実質的にある、横方向に延在するリップ１２８をさらに有する。
【００２０】
図１Ａは、本明細書で使用する基準座標系を描写する。方向ｘは、スタンド１０６の前面に向かう一方で、−ｘは、スタンドの背面に向かう。方向ｙは、方向ｘに対して９０度であり、かつスタンド１０６の右側部に向かう一方で、方向−ｙは、左側部に向かう。方向ｘと方向ｙの両方に対して９０度の方向ｚは、上方垂直方向である一方で、方向−ｚは、垂直に下方に向かう。ｘｙ平面は、水平である一方で、ｘｚ平面およびｙｚ平面は、垂直である。（ｘ、−ｘ）軸は、長手方向、すなわち前面から背面までであり、（ｙ、−ｙ）軸は、横方向、すなわち左右であり、（ｚ、−ｚ）軸は、垂直である。
【００２１】
スタンド１０６は、好ましくは、ポリプロピレンまたはＡＢＳなどの丈夫な熱可塑性ポリマー化合物から一体的に射出成形されたものであり、滑らかでない外面を有してもよい。スタンド１０６を射出成形するために使用される化合物としては、銀系抗菌粒子が挙げられ得る。スタンド１０６は、様々な色のいずれかで成形してもよい。上部表面１１６のゾーン１３０は、ボールリップ１２８の外周から肩部１３２まで延在し、この肩部１３２に、上部表面は、スタンド１０６の前面１１０、左側部１１２、右側部１１４、および後面１１８の外面への湾曲した移行部を有する。ゾーン１３０がマット１０８の全体上部表面１３４上に食べかすおよび流体を即座に落とすように、ゾーン１３０は、水平平面、すなわちｘｙ平面に対して下方に傾斜している。外周ゾーン１３０は、上部表面１１６の開口エリアの全面が傾斜し、フードおよび水をマットに落とすように、ボールリップ１２８の横方向外側にある上部表面１１６の全面を占める。
【００２２】
左基部１２０および右基部１２２は、マット１０８の全体上部表面１３４の面積よりも大幅に狭い、左基部１２０と右基部１２２との間のエリアを画定している。スタンド上部表面１１６の肩部１３２は、左基部１２０および右基部１２２の位置から横方向内側に離間している。左側部１１２を形成している壁１３６は、基部１２０で終わるまで下方かつ外向きに傾斜し、右側部１１４を形成している壁１３８は、基部１２２で終わるまで、下方かつ外向きに傾斜している。同様に、前面１１０および背面１１８を構成する壁は、上部表面肩部１３２から下方かつ外向きに傾斜している。この傾斜は、以下に図９および図１０と併せてさらに説明するように、より大きな横方向の安定性、およびペットによってスタンド１０６上にかけられた横方向の力に対するより良好な抵抗力を提供する。
【００２３】
マット１０８は、好ましくは、熱可塑性エラストマー化合物から射出成形してもよい。成形されたら、マット１０８は、６０から８５の範囲のショアＡ硬度を有し得る。マット１０８は、カビ、真菌、藻、または細菌の成長を阻害する（これらは、成長を阻害しなければ、染みを付けるかまたは悪臭を引き起こし得る）抗菌添加剤（哺乳動物に無毒のイオン性銀または微粒子状銀など）と共に製造してもよい。射出成形の代替手段として、かつ一実施形態では、マット１０８は、実質的に均一な厚さを有する材料のシートから熱成形してもよい。マット１０８を、様々な色のいずれかで成形してもよい。マット１０８は、食べかすおよび流体をある場所にとどめておくのに役立つ、隆起した外周へり１４０を有する。
【００２４】
図２の分解図は、マット１０８上のいずれの横方向へのスタンド１０６の移動にも耐えるように左基部１２０および右基部１２２と協働する、マット１０８上の機構を示す。例示される実施形態では、この機構は、一対の隆起特徴部２００および隆起特徴部２０２、より具体的には、マット１０８の中心２０４に対して凹状の一対の弧として形成されたリブからなる。各ボール１０２、１０４は、スタンド上部表面１１６内に画定されたそれぞれのボール開口部２０６、２０８内に受容される。各ボール開口部２０６、２０８は、湾曲した外周と、ボール開口部軸に対して直角に引かれた側部から側部への直径よりも大きい、ボール開口部軸に対して直角に引かれた前面から後面への直径と、を有する。ボール開口部２０６、２０８は各々、スタンド上部表面１１６から下方に垂下した壁２１０によって画定され得る。ボール１０２、１０４は、ボール開口部２０６、２０８と篏合し、洗浄または充填のために手で容易に取り外すことができ、開口部２０６、２０８内に手で再び取り付けることができる形状を有する。同様に、スタンド１０６を、洗浄のためにマット１０８から容易に持ち上げ、続いて、弓形配置リブ２００、２０２を用いてマット１０８上に再び配置することができる。
【００２５】
代表的なボール１０２の詳細を、図３および図４に示す。ボール１０２は、垂直、すなわちｚ方向に配向したボール軸４００を中心として配設されている。ボール１０２は、スタンド１０６に取り付けられたとき、水平平面、すなわち上部平面４０２と、ボール底平面４０４との間に延在する。ｘ方向へのボール軸４００から上縁１２４までの半径ｒ１は、ｙ方向へのボール軸４００から上縁１２４までの半径ｒ２よりも大幅に大きい。半径ｒ１はまた、示すように、ボール軸４００からスタンドの背面まで（−ｘ）方向に引いた半径ｒ３よりも大幅に大きい。半径ｒ１、ｒ２、およびｒ３はすべて、ｘｙ平面４０２内に引かれる。ボール１０２は、基本的には、その前面に向かう丸い突出部を有する。半径ｒ１は、ｘ方向から離れる角変位の関数として、半径ｒ２まで徐々に減少する。半径ｒ２およびｒ３は、実質的に類似していてもよい。
【００２６】
ボール１０２、１０４の各々の一形状は、以下に達し得る。図６Ｂは、上部平面４０２に現れるボール１０２の外周部６０６の概略平面図である。上部平面４０２で、ボール外周部６０６は、ボール軸４００からの半径Ｓ１に配設された円形区分６０８と、第２の中心６１２を中心として、かつそこから半径Ｓ２に引いた円形区分６１０と、円形区分６０８の端を円形区分６１０のそれぞれの端に各々接続する２つの円形区分６１４、６１６と、の３組の曲線の複合体であってもよい。区分６１４および区分６１６は各、図６Ｂには示していないそれぞれの第３の中心を中心とした半径Ｓ３を有する。半径Ｓ１は、半径Ｓ２の２倍になるように選択されてもよい。半径Ｓ３は、半径Ｓ１の２倍になるように選択されてもよい。半径Ｓ１の端からのＸ軸に沿った、外周部６０６の最前面点外周部６１８の変位である出っ張りＢは、Ｓ１の０．４倍になるように選択されてもよい。
【００２７】
ボールの底４０６は、最初は、Ｓ１よりも小さい半径で、ボール軸４００を中心とした円（図示せず）として引かれている。次いで、ボールの側部には、外周部６０６から底ボール円までロフトが付けられている。次いで、成形されたボールは、湾曲した移行部４２６、ならびに図４および図６に見られる形状を生じるように、ボールの底に一定の半径が形成されている。
【００２８】
ボール開口部２０６、２０８内に取り付けられたとき、例示される実施形態では、ボール１０２、１０４の最長半径（ｒ１）は、互いに対して、かつｘ方向に対して平行になる。
【００２９】
示すように、ボール１０２の底４０６は、充填中に安定性に役立つように、平坦であってもよい。湾曲した内面１２６の前部分４０８は、横部分４１０または背面部分４１２よりもなだらかな抜き勾配を有する。例示される実施形態では、ボール軸４００を含む、前部分４０８のｘｚ断面は、直線区分４１４を含む。この直線区分４１４は、垂直基準４１６に対して角度αをなす。ボール軸４００を含む背面部分４１２のｘｚ断面は、直線区分４１８を含む。直線区分４１８は、垂直基準４２０と角度βをなし、α＞βである。図６に一時的に戻ると、ボール軸４００を含む横部分４１０のｙｚ断面は、直線区分４２２を含む。直線区分４２２は、垂直基準４２４と角度γをなし得、α＞γである。角度βおよび角度γは、互いに類似していてもよい。直線区分４１６、４１８、４２２、およびこれらが一部である湾曲した表面は、湾曲した移行部４２６によって底４０６に結合されていてもよい。代替実施形態では、直線区分４１６、４１８、または４２２のうちの１つ以上が、曲線に置き換えられていてもよい。とはいえ、任意の特定の水平平面でとったとき、前部分４０８の傾斜は、横部分４１０または背面部分４１２の傾斜よりもなだらかなままである。
【００３０】
図５は、ここではｘｚの断面図で示される代表的なボール１０２と、イヌ５０２の頭部５００との関係を描写する。大部分の犬種の典型として、イヌ５０２は、顕著な鼻５０４および顎５０６を有する。イヌ５０２がボール１０２から食べるか飲みたいとき、イヌ５０２は、自身の顎５０６および鼻５０４をボール１０２に挿入する。ボール内面１２６の前部分４０８のなだらか抜き勾配によって、イヌ５０２が顎５０６および鼻５０４を挿入するのが容易になる。また、イヌの鼻５０４および顎５０６のかなり部分はボール上部平面４０２より低くなるため、ボール１０２からの食べかすおよび水の漏れが低減される。
【００３１】
本発明の別の技術的優位性は、スタンド１０６の受口２０６、２０８のそれぞれの非円形の開口部内へ取り外し可能に取り付けるための非円形のボール１０２、１０４の提供に由来する。特にイヌは、給餌中に自身の舌をフル活用するが、足はほとんど活用しないか、または全く活用しない。イヌは多くの場合、ボール１０２、１０４の内面をなめ、多くの場合、ボールにかなりの量の力を加える。ボール１０２、ボール１０４および開口部２０６、開口部２０８が円形であった場合、イヌのなめる行為は、ボールをボール受口内で回転させ、食べかすおよび水粒子を押し出す傾向があり、また、スタンド１０６からのボールの意図しない分離も促す傾向がある。ボール１０２、ボール１０４およびそれらのボール受口２０６、ボール受口２０８が非円形であることによって、これが防がれ、各ボール１０２、ボール１０４の延出した前面突出部の、スタンド１０６の全面およびペットに向かう配向が保持される。
【００３２】
図６は、右ボール１０４がスタンド１０６の右ボール開口部２０８内へ受容されているときの、右ボール１０４のｙｚ断面詳細図である。上記のとおり、スタンド１０６の上部表面１１６は、外周ゾーン１３０と、ボール開口部２０６、ボール開口部２０８の各々にすぐ接して取り囲む環状ゾーン６００と、の２つのゾーンを有する。環状ゾーン６００は、平坦であってもよく、幅ｗ２を有する。ボールリップ１２８は、幅ｗ１を有する。ボールリップ１２８は、ボール上縁１２４から横方向に延在している。ボール上縁１２４の外面は、（この図においては）ボールがボール開口部２０８内に容易に挿入され、そこから取り外されることを確実にする意図的な間隙だけ、ボール開口部壁２１０の内側面の左または横方向内側にある。したがって、リップ１２８の内側端は、わずかにゾーン６００の内側端の横方向内側にある。その一方で、好ましくは金属のボール１０４の下方折り曲げ仕上げリップ６０２が、傾斜したゾーン１３０よりもむしろゾーン６００上に着地することが重要である。したがって、ゾーン幅ｗ２とリップ幅ｗ１との差は、製作公差−ボール／開口部はめあい間隙であるべきである。幅ｗ２および幅ｗ１は、互いに実質的に類似しており、一実施形態では、同一であり得る。これによって、環状ゾーン６００がはみ出た食べかすまたはみ出た流体にさらされるのが最小化され、次いで、はみ出た食べかすまたはみ出た流体の大部分またはすべてが、上部表面１１６の傾斜したゾーン１３０によって受容され、そこから、マット１０８へと落ちる。
【００３３】
例示される実施形態では、外周ゾーン１３０は、肩部１３２で、側部１１４の右側壁１３８へと移行するまで平坦であるように示される。外周ゾーン１３０は、外周ゾーン１３０上のあらゆる点がはみ出たフードおよび水を最適に落とすように下方かつ外向きに傾斜している限り、より凸状の形状を呈し得る。
【００３４】
図６Ａは、別のボール６２０のｙｚ断面詳細図である。ボール６２０は、ボール１０２に関して記載されている材料と同じ材料から製造される。ボール６２０は、この断面において直線の湾曲した側壁６２２を有する。側壁６２２は、湾曲した移行部６２６によって、その上部端で水平外向きに延在している環状部分６２４に結合されている。その水平外端６２８で、環状部分は、下方に傾斜した部分６３０に結合されており、次いでこれは、外側の水平に配設された環状リップ６３２に結合されている。リップ６３２は、スタンド１０６のゾーン６００上に着地する。この様式のボール６２０の仕上げ縁は、ボールを洗浄しやすくするのに役立ち、細菌を生じさせる食べかすまたは流体を潜伏させる可能性が低くなる。
【００３５】
図７は、スタンド１０６の裏面を示す。例示される実施形態では、右壁１３８は、上部肩部１３２から下方かつ外向きに延在し、湾曲したシートであり得る。右壁１３８の内部の少なくとも底部分は、スタンド１０６の中心７０２に面する凹状弓形面７００として形成される。しかしながら、面７００の弧の半径は、中心７０２までのその距離よりも実質的に小さい。同様に、左側壁１３６は、少なくともその下端に、凹状弓形面７０４を含む。面７０４の弧の半径は、中心７０２までのその距離よりも実質的に小さい。例示される実施形態では、面７００、面７０４は、円筒状断面であるよりもむしろ円錐状であり、上部表面肩部１３２から下方に延在するにつれて広がる。湾曲した壁１３６、湾曲した壁１３８は、同じ位置で、平面状壁（図示せず）よりも高い剛性を呈する。
【００３６】
右壁１３８は、水平外向きに延在したフランジ７０６として形成されていてもよい右基部、すなわち脚部１２２で終わる。左壁１３６は、水平かつ外向きに延在したフランジ７０８として形成されていてもよい左基部、すなわち脚部１２０で終わる。
【００３７】
スタンド１０６の裏面は、通常の使用では見えず、食べかすまたは水粒子を捕捉する可能性は低い。したがって、機構を強化するためのリブを補強するのにふさわしい部位である。例示される実施形態では、これらのリブは、前面壁７１２から背面壁７１４に延在する、ｘｚ平面内および中心７０２上に配設された中心リブ７１０を含む。３つの離間された横断するリブ７１６、７１８、および７２０は、ｙｚ平面内でリブ７１０と交差し、これらのリブの端の両方上でボール開口部壁２１０に接続する。一組の３つのｙｚ強化すみ板７２２、７２４、および７２６は、開口部２０８のボール開口部壁２１０を右壁１３８に接続し、同様の一組の強化すみ板（すべては図示せず）が、開口部２０６のボール開口部壁２１０と、左壁１３６との間に配設されている。三角形のｘｚすみ板７２８は、開口部２０８の壁２１０を後壁７１４に接続してもよく、同様のすみ板７３０は、開口部２０６の壁２１０を後壁７１４に接続してもよい。同様のすみ板は、開口部２０８、２０６の壁２１０を、前面壁７１２に接続してもよい。
【００３８】
本発明と一緒に使用するためのエリアマット１０８を、図８に示す。例示される実施形態では、各配置特徴部、すなわちリブ２００、２０２は、全体上部マット表面１３４から直立しており、弧として形成されている。各リブ２００、２０２は、左スタンド壁１３６および右スタンド壁１３８の内面７０４、７００のそれぞれと篏合するように作られている外部円錐台面８００、８０２を有する。面８００は、少なくともおおよそ、点８０４を通る垂直軸を中心とした回転の表面である。面８０２は、少なくともおおよそ、点８０６を通る垂直軸を中心とした回転の表面である。点８０４および点８０６は、マット中心２０４からｙ方向または−ｙ方向に大幅にずれている。これは、マット１０８に対してスタンド１０６がスタンド１０６の垂直中心７０２を中心として回転するのを、リブ２００、２０２が妨げるのを確実にする。
【００３９】
したがって、リブ２００、２０２は、スタンド１０６があらゆる横方向に動くのを妨げるように、スタンド基部１２０、１２２の非水平面と協働する隆起特徴部であり、弓形面８００、８０２のうちの少なくとも一方のベクトル成分が、ｘ、−ｘ、ｙ、もしくは−ｙ方向、またはこれらの任意の組み合わせの方向への動きに抵抗する。示されるそれに代わる機構も、同じ役目を果たし得る。例えば、独立したリブ２００、２０２の代わりに、マット１０８は、リブ２００とリブ２０２との間に広がるメサを有してもよいが、横方向外側弓形面８００、８０２を依然として有する。リブ２００、２０２は、弧以外の形状のものでもよく、その場合、相補的形状を有する内壁面７００、７０４と協働する。各リブ２００、２０２を、離間された区分または別個の柱に分けることも可能である。
【００４０】
例示される実施形態で示されるリブ２００、２０２の１つの利点は、これら、およびこれらの間のエリアの洗浄が容易であることである。別の利点は、スタンド壁１３６、１３８が、リブの上の定位置に下げられたら、リブは容易には見えなくなり（図１および図８に見られるように、リブは壁１３６、１３８によって前面または後面から、さらには前面または後面からのかなりの角度での視界から隠されるのに十分に低い）、落下する食べかすおよび流体から保護される。同様の理由のために、スタンド壁１３６、１３８の横方向外側の代わりに、横方向内側にマット協働機構２００、２０２を有することが好ましい。例示される実施形態では、側壁１３６および１３８、ならびに前面壁７１２および後壁７１４への側壁の湾曲した移行部は、リブ２００、２０２の弧よりも十分に大きい弧に対し、後者は、システム１００を組み立てたときには、辛うじて見えるだけである。
【００４１】
好ましい実施形態では、リブ外面８００によって範囲を定められた弧は、内壁面７００によって範囲を定められた弧よりもほんのわずかだけ小さくなければならない。これは、支持するための接触を最大化するが、また食べかすの捕捉を生じ得る間隙を最小化することも確実にする。リブ２００の弧がより小さいと、壁内側面７００と、マット１０８の全体上部表面との間に、フードが捕捉され得るより大きい間隙が生じる。同様に、リブ外面８０２の弧は、内壁面７０４の弧よりもほんのわずかだけ短くなければならない。
【００４２】
本発明と一緒に使用するためのマット８２０の別の実施形態を、図８Ａおよび図８Ｂに示す。マット８２０は概して、マット１０８と類似しており、マット１０８に関して記載したものと類似した材料でできているが、リブ２００とリブ２０２との間のエリアが平坦である代わりに、エリア８２２は、アーチ型にたわんでいる、すなわちバレルの形をしており、「バレル」の軸は、ｙ方向である。ボールト８２２の上部８２４は、リブ２００、２０２の上部８２６と高さが同じであってもよい。使用中に、流体または微粒子状物質がアーチ型にたわんだ面８２２上に落ちたとき、流体または微粒子状物質は、下の方へ流れるか、または転がって、周辺地域８２８、８３０上へと出やすい。アーチ型にたわんだ面８２２を提供することによって、リブ２００、２０２の内部に面した面８３２、８３４の表面積も減少される。これによって、細菌などが堆積し得る表面の量が減少され、洗浄する必要がある表面の量が減少される。図８Ｂに示されるように、アーチ型にたわんだ面８２２は、表面、すなわちパネル８２２から下方に延在し、床によって支持された複数のリブ８３６によって支持されていてもよい。
【００４３】
ｙｚの立面断面の組み立てられたペット給餌システムは、図９に見られる。左脚部１３６の内面７０４は、リブ２００の外側面８００にはまる。右脚部１３８の内面７００は、リブ２０２の外側面８０２にはまる。脚部フランジ７０６、７０８は、より大きい横方向の支持および断面剛性を提供する。均一な厚さのシートから熱成形されるか、すべての壁が公称設計厚さに近くなるように射出成形された場合、リブ２００、２０２は、中空になり得る。
【００４４】
この実施形態では、ボール１０２、１０４の底は、マット１０８からかなりの距離持ち上げられた底平面４０４内にある。ペット給餌システム１００を、フードボール１０２および水ボール１０４の大きさ、ならびにマット１０８からのこれらの高さが、別個に変えられていてもよい、様々な大きさに作製してもよい。
【００４５】
例示される実施形態は、２つの離間されたボール１０２、１０４を含む。上部表面１１６の外周ゾーン１３０は、ボール１０２、１０４のリップ１２８間に凹状谷部９００を含む。この谷部９００の底自体が、中心点からｘ方向および−ｘ方向に傾斜しており、はみ出た食べかすおよび水が下方に、かつスタンド１０６から落ちるための傾斜した経路を提供する。複数のボールの実施形態では、スタンド表面の第３のゾーンのすべての部分は、最も近いボール軸４００に対して下方かつ外向きに傾斜している。
【００４６】
スタンド１０６は、それにより高い安定性および横方向の力に対する抵抗力を与えるように、ｘ、−ｘ方向およびｙ、−ｙ方向かつ外向きに広がっている。ボール１０２の軸４００から上部表面肩部１３２までの半径ｒ４は、ボール半径ｒ２よりも大きい。軸４００から基部１２０まで、かつ−ｙ方向の半径ｒ５は、半径ｒ４よりも大きい。好ましくはステンレス鋼製のボール１０２の大部分およびその内容物は、左壁１３６からかなり内向きにある。同様の関係は、ボール１０４にも通用する。傾いた壁１３６、１３８は、ｙｚ平面におけるせん断力に耐えるための備えである。図１０に示されるｘｚ平面においては、軸４００から上部表面肩部１３２までの半径ｒ６は、ボール半径ｒ１またはボール半径ｒ３のいずれかよりも大きい。軸４００から基部１２０までの半径ｒ７は、半径ｒ６よりも大きい。ボール１０２の大部分は、スタンド１０６の後面１１８または前面１１０のいずれかからかなり内向きにある。同様の関係は、ボール１０４に関しても存在する。スタンド１０６の傾いた後面１１８および傾いた前面１１０は、ｘｚ平面におけるせん断力に耐えるための備えである。
【００４７】
図１１に最もよく見られるように、マット１０８の総面積は、スタンド基部１２０とスタンド基部１２２との間に占められるかまたは位置する面積よりも大幅に大きい。スタンド１０６は、マット１０８の中心の後部にかなり位置する。マット１０８の後ろ領域すなわち後ろエリア１０００は、スタンド１０６の後面１１８からマット１０６の後ろへり１００２まで後方に延在している。へり１００２は、壁に接して配置するために、直線であってもよい。マット１０８の前領域、すなわち前エリア１００４は、スタンド１０６の前面１１０から、マット１０８の前へり１００６まで前方に延在している。前へり１００６は、凸状に湾曲していてもよい。領域１０００、１００４は、大部分のはみ出たフードおよび水をとらえるのに十分に広い。しかしながら、前領域１００４は、給餌するペット５０２の前足１００８を乗せられるように、領域１０００よりも大幅に広い。へり１００６の凸状に湾曲した形状もまた、この点において役に立つ。
【００４８】
図１２から１４は、図１から１１に開示する実施形態と比較してある特定の改善を組み入れた、本発明のさらなる実施形態を描写する。１２００で全体的に示されるペットスタンドは、マット上に取り外し可能に置くことができる基部１２０２を有する（図１２から１４には図示せず。本明細書に記載されるマット１０８、８２０、１５００にいずれも、スタンド１２００と協働する。）。スタンド１２００は、スタンド１０６に関して引用した材料と同じ材料から作製することができる。左側部１２０４および右側部１２０６は、基部１２０２からスタンド上部１２０８まで上方に延在している。最後の実施形態に見られるように、左スタンド側部１２０４および右スタンド側部１２０６は各々、凸状表面を形成し、後面１２１０および同様の前面（図示せず）によって一緒に結合されており、例示される実施形態では、側部、前面、および後面は、連続する側壁によって形成されている。後面１２１０はペット５０２から遠隔に、すなわち離れて位置付けられることが意図される一方で、前面は、ペット５０２に近接して位置付けられることが意図される。
【００４９】
スタンド上部１２０８は、後面１２１０から前面まで、かつ側部１２０４から側部１２０６まで広がる。上部１２０８は、そこに形成された、少なくとも１つ、例示される実施形態では、２つのボール受口１２１２および１２１４を有する。上述した実施形態に見られるように、ボール受口は、楕円形であることが好ましい。各ボール受口１２１２、１２１４は、同様に楕円形の形状をしたボール１２１６（１つを図示する）を受容するように適合されている。水平平面内で、ボールの上部外周部で測定したとき、前面から後面への方向のボール１２１６の長軸は、側部から側部、すなわち横断方向に配設された短軸よりも長い。
【００５０】
スタンド上部１２０８は、例示される実施形態では、第１のゾーン１２２０、第２のゾーン１２２２、および第３のゾーン１２２４を有する上部表面１２１８を有する。それぞれの第１のゾーン１２２０およびそれぞれの第２のゾーン１２２２は、各ボール受口１２１２、１２１４に設けられている。第１のゾーン１２２０は、ボール受口１２１２または１２１４の上部外周部１２２８に隣接して配設されており、ボール受口１２１２または１２１４を横方向に完全に取り囲む上方凸状リング１２２６を含む。第２のゾーン１２２２は、第１のゾーン１２２０から（受口およびボールの垂直軸Ｚに対して）横方向外向きに延在している。上部表面の第２のゾーン１２２２は、水平（軸Ｚに対して垂直）であるか、または半径方向外向きかつ下方に傾斜しているかのいずれかである。例示される実施形態では、第２のゾーン１２２２は、平坦かつ水平である。
【００５１】
第２のゾーン１２２２は、ゾーン１２２２が指切り欠き部１２３０によって分断されている場所を除いて、任意の特定のボール受口１２１２または１２１４の第１のゾーン１２２０を横方向に完全に取り囲んでいる。第２のゾーン１２２２内のスタンド上部１２０８の上部表面１２１８の高さは、上方凸状リング１２２６の上限１２３２よりも低い。
【００５２】
単一の第３のゾーン１２２４は、第２のゾーン１２２２（１つのボール受口当たり１つ存在する）から半径方向外向きに配設されている。第３のゾーン１２２４の傾斜は、場所によって異なるが、第３のゾーン１２２４上のいずれの点でも、食べかすおよび水の粒子がゾーン１２２４から容易に落ち、保持されないように、最も近いボール／受口軸Ｚに対して、半径方向外向きかつ下方に傾斜している。第３のゾーン１２２４は、第２のゾーン１２２２を分離し、スタンド上部１２０８の上部表面１２１８を完全なものにする。スタンド側部１２０４、１２０６、ならびに接続している後面１２１０（および反対側にある前面）が各々、第３のゾーン１２２４の下端と一緒になって、好ましくは湾曲した肩部を作っている。
【００５３】
図１２Ｂ、１３、および１４はすべて、左ボール受口１２１４内に取り外し可能に取り付けられたボール１２１６を示す（図１２Ａおよび１２Ｂの概観は、背面からのものである）。右ボール受口１２１２および左ボール受口１２１４、ならびにこれらの中に受容されることが意図されるボール１２１６は、大きさまたは詳細が互いに異なり得るが、例示される実施形態では、これらは同じである。ボール１２１６は、ボール１０２に関して記載される同じ材料、かつ手段で製造され得る。ボール受口の上部外周部１２２８から、かつ凸状リング１２２６の内壁から延在するにつれて、傾斜したボール受口側壁１２３４は、その下方内側端１２３６まで、下方かつ半径方向内向きに延在している。この実施形態では、内側端１２３６は、自由端であり、受口内を、スタンド上部１２０８からマットまで開口の状態のままにしている。他の実施形態では、受口１２１２、１２１４は、閉鎖凹状形状であってもよい。
【００５４】
垂直基準に対して、かつ受口およびボール軸Ｚを中心として測定した水平角位置θの任意の特定の点Ｐにおいて、かつ所与の水平平面において、側壁１２３４の傾斜は、角度φＲに対する。この水平角位置および同じ水平平面において、ボール１２１６の側壁１２３８は、その位置における角度φＲと実質的に類似しているが、この角度φＲよりもわずかになだらかな垂直基準に対する角度φＢに対する。換言すると、ボール側壁１２３８の抜き勾配は、ボール受口側壁１２３４の対応する抜き勾配よりもわずかに大きい。φＢとφＲとの間の差は、１／２から２度の範囲になるように選択されてもよく、一実施形態では、約１度である。
【００５５】
任意の所与の水平平面でとったとき、ボール側壁１２３８およびボール受口側壁１２３４の傾斜は、軸からの水平角度θの関数として変化する。図１３は、θ＝０°である場所、すなわちスタンド１２００の前面でとった断面である一方で、図１４は、θ＝１８０°の場所（スタンドの背面）でとった断面である。見ることができるように、ボール１２１６の前面でとったφＢ１は、ボール１２１６の後方でとったφＢ２よりも大幅に大きい／なだらかであり、ボール１２１６は、その後方よりもその前方に向かって大幅に浅い抜き勾配を有する。受口側壁角度φＲ１およびφＲ２は、同じ点でとったボールの角度と実質的に類似しているが、わずかにより急勾配であるように、適合する様式で異なる。ボール側壁１２３８とボール受口側壁１２３４との間の間隙は、深さと共に増加する。一実施形態では、間隙は、壁１２３８、１２３４の上部では、約０．０２５インチ（０．６３５ミリメートル）であり、壁端１２３６付近では、約０．０４５インチ（１．１４３ミリメートル）である。
【００５６】
ボール１２１６の外周リップ１２４０は、下方凹状リング１２４４で終わる下面１２４２を有する。凹状リング１２４４の半径は、スタンド上部表面の第１のゾーン１２２０の上方凸状リング１２２６の半径よりもわずかに大きくなるように選択される。このように、凹状リング１２４４は、凸状リング１２２６上にはまり、そこからわずかに離間される。外周リップ１２４０の外縁１２４６は、第２のゾーン１２２２の全周長にわたって、つまり、リップ１２４０の外周の大部分にわたって、第２のゾーン１２２２に接触しているか、またはそれの上に載っていることが好ましい。これにより、ボール１２１６の全重量が支持される。凸状リング１２２６からの凹状リング１２４４の公称間隔（例えば、０．０２０インチ（０．５０８ミリメートル））は、リップ縁１２４６が第２のゾーン１２２２に接触し、これらの間の間隙を最小化することを確実にする。取り付けたとき、外縁１２４６は、凸状リング１２２６の上限１２３２よりも低くなる。下方凹状リング１２４４の下面と上方凸状リング１２２６との相互作用が、ボールを中心に置き、かつ着座させる上で補助し、ペットによるボール受口１２１２または１２１４からの起こり得るボール１２１６の脱落を起こりにくくする。
【００５７】
図１４で最もよく見えるように、指切り欠き部１２３０は、上部表面１２１８の第２のゾーン１２２２を分断し、切り開くが、凸状リング１２２６は切り開かない。指切り欠き部１２３０は、第３のゾーン１２２４上のある点から、内側切り欠き部壁１２５０まで内向きに延在する、わずかに内向きかつ上方に傾斜した床１２４８を有する。切り欠き部床１２４８は、上部表面１２１８の第２のゾーン１２２２よりも高さが低く、一実施形態では、切り欠き部床１２４８は内壁１２５０で測定したとき、第２のゾーン１２２２よりも０．３２インチ（８．１３ミリメートル）深い場合がある。内側切り欠き部壁１２５０は、急勾配かつ上方に角度を有し、適切な湾曲した移行部を介して、切り欠き部床１２４８を凸状リング１２２６に結合している。内側切り欠き部壁１２５０は、示すように、凸状リング１２２６の外壁につながっていてもよい。切り欠き部１２３０は、切り欠き部床１２４８の右端をスタンド上部１２０８の上部表面１２１８に結合している、急勾配で上方に傾斜した右側壁１２５２を有する。切り欠き部１２３０は、切り欠き部床１２４８の左端をスタンド上部１２０８の上部表面１２１８に結合している、急勾配で上方に傾斜した左側壁１２５４で終わる。
【００５８】
指切り欠き部１２３０により、ボールリップ１２４０を、飼い主の挿入された指と親指との間で担持して、ボール受口１２１２または１２１４からボール１２１６を持ち上げることができるように、ペットの飼い主が手の第２の指、第３の指、または第４の指をボール１２１６の縁１２４６の下に挿入することができるようになる。指切り欠き部１２３０は、この目的を達成することができるように寸法決定されており、左側壁１２５４の上端から右側壁１２５２の上端の間の間隔は、約１インチ（２．５センチメートル）であってもよい。指切り欠き部１２３０の床およびすべての壁は、排水のために半径方向外向きかつ下方に傾斜している。重要なことには、切り欠き部１２３０は、ボール受口１２１２または１２１４の内側には開口していないか、またはそこまでは続いておらず、切り欠き部内壁１２５０は、ボール受口１２１２、１２１４の外周部の周り全体に流体遮断障壁を提供するように、凸状リング１２２６と結合している。
【００５９】
ここで図１５、図１５Ａ、および図１５Ｂを参照して、本発明と一緒に使用するためのマット１５００のさらなる実施形態を示す。マット１５００は、図８Ａおよび図８Ｂに例示するマット８２０に類似しており、スタンド１０６、１２００の脚部、すなわち側壁は、ほぼ同じ様式でマット１５００にはまる。マット１５００は、マット１０８に関して記載したものと同じ材料から成形されてもよい。マット８２０において見られるように、一対の直立弓形リブ１５０２、１５０４は、マット１５００の中心Ｃまでの各リブ１５０２の内壁１５０６の距離よりも大幅に小さい弧の半径を有する。この意図的な不一致により、スタンド１０６、１２００がマット１５００に対して回転することが防がれる。
【００６０】
各リブ１５０２、１５０４は、上部表面１５０８および外壁１５１０を有する。図８Ａおよび図８Ｂに示す実施形態と比較して、各リブ１５０２、１５０４の外壁１５１０は、スタンド基部、すなわち脚部（図示せず）の内壁とよりしっかりと係合するように、上方に延在している。前述同様に、食べかすおよび水の粒子がマット１５００の周辺エリア１５１４に落ちるように、リブ１５０２とリブ１５０４との間のエリア１５１２の全面が、前方から後方の方向に、アーチ型にたわんでいる。中央エリア１５１２の最高点１５１６は、これより、リブ１５０２、１５０４の上部表面１５０８より低くなる。
【００６１】
マット１５００は、射出成形されることが好ましく、このマットの様々な部分は、成型を容易にするために、公称厚さに少なくともおおよそ適合した壁によって形成されている。そのような実施形態では、リブ１５０２、１５０４は、中空であり、中央エリア１５１２のウェブ１５１８は、離間され、かつ下方に延在しているリブ１５２０によって支えられて、アーチ型にたわんだ状態になっている。例示される実施形態では、リブ１５２０は、互いに平行であり、長手方向または前方から後方への方向に伸びる。
【００６２】
本発明のさらなる実施形態を、図１６から図２０に例示する。この実施形態では、スタンドは、省略され、１つ以上のボール１６００は、マット１６０８の中央ピア、メサ、または高台１６０６の上部表面に形成されたそれぞれのボール受口１６０２、１６０４内に受容されている。好ましくは、ボール１６００は、ボール１２１６と概して類似しており、ボール１０２に関して記載したものと同じ材料および同じ手段で作製される。各ボール１６００は、楕円形であり、ボール１６００は、その上部外周部で、水平平面でとったとき、左右方向へのその短軸よりも長い、前方から後方の方向への長軸を有する。ボール１６００は、背面ボール壁の抜き勾配よりもなだらかな前面壁抜き勾配を有し、縁１６１２を有する下方凹状リング１６１０である、下面を有する外周リップで終わる。マット１６０８は、マット１０８に関連して記載したポリマー化合物を使用して射出成形してもよい。
【００６３】
この実施形態は、特に、短い脚部を有するイヌ、非常に小さいイヌおよびネコに適している。これらのペットに関しては、ボール１６００は、周囲上部マット表面１６１４から、ボール受口１６０２、１６０４の深さ以上の高さに、かつボール１６００自体の深さと大差ない高さに、持ち上げられる必要はない。
【００６４】
中央ピアまたはメサ１６０６は、マット１６０８の他の部分と一体的に成形されている。ピア１６０６は、マット１６０８のいずれの横縁１６１８からも離間されるように配置されている。好ましくは、ピア１６０６の前面の方に、マットの後方に配設されている周囲上部マット表面１６１４よりも広いマット表面が配設されていることが好ましい。ピア１６０６の直立壁１６１６は、全体周囲マット表面１６１４から上方に延在しており、ピア１６０６の上部表面１６２０に移行するにつれて丸みを帯びるか、または凸状に湾曲することが好ましい。
【００６５】
ピア１６０６の上部表面１６２０は、各ボール受口１６０２、１６０４に直接隣接した第１のゾーン１６２２と、第１のゾーン１６２２から半径方向外向きに延在している、各ボール受口のそれぞれの第２のゾーン１６２４と、第２のゾーン１６２４を横方向に取り囲み、それらを離間させている第３のゾーン１６２６と、を有する。各第１のゾーンは、ボール受口１６０２、１６０４のそれぞれのひとつを完全に取り囲む上方凸状リング１６２８を含む。第２のゾーン１６２４（１つが各受口１６０２、１６０４と合致する）は、平坦（図示されるように）であるか、または中心垂直軸Ｚに対して下方かつ半径方向外向きに傾斜しているかのいずれかであり、その高さは、凸状リング１６２８の上限１６３０よりも低い。第３のゾーン１６２６上のすべての点は、食べかすおよび水粒子がピア上部表面１６２０の第３のゾーン１６２６のいかなる部分上にも堆積しないように、最も近いボール／受口軸Ｚに対して下方かつ外向きに傾斜している。
【００６６】
各受口１６０２、１６０４には、図１２Ａから図１４に示す実施形態の指切り欠き部１２３０と形状、位置、寸法、および機能が類似した指切り欠き部１６３２が設けられている。各ボール受口１６０２、１６０４に関しては、第２のゾーン１６２４は、第２のゾーン１６２４が指切り欠き部１６３２によって分断されている箇所を除いて、受口１６０２または１６０４を横方向に完全に取り囲んでいる。切り欠き部１６３２は、それぞれのボール受口１６０２、１６０４の背面に配置されていることが好ましい。各指切り欠き部１６３２は、第３のゾーン１６２６、または示すようにピア壁１６１６に移行するまで、半径方向外向きかつ下方に傾斜した床１６３４を有する。床１６３４は、第２のゾーン１６２４よりも低い高さにある。切り欠き部１６３２は、切り欠き部内壁１６３５と結合するまで、内向きに延在している。切り欠き部内壁１６３５は、凸状リング１６２８の外壁と途切れなく交わるまで、上方かついくらか内向きに延在している。このように、指切り欠き部１６３２は、第２のゾーン１６２４は分断するが、凸状リング１６２８は分断せず、したがって、これは、食べかすおよび水の粒子に対する障壁として役立つ。切り欠き部１６３２は、床１６３４をピア１６０６の全体上部表面１６２０に結合している左壁１６３８と、類似した右壁（図１９には図示せず）とによって横方向に囲まれている。
【００６７】
好ましくは、かつ図２０に示されるように、各ボール１６００は、ピア１６０６の上部表面１６２０の第２のゾーン１６２４の上に載っているボールの縁１６１２によって完全に支持されている。下方凹状リング１６１０の下面は、上方凸状リング１６２８上にはまり、かつそれからわずかに離間されており、ボール１６００を受口１６０２または１６０４内の中心に置き、かつ着座させる上で補助し、ペットによるボール受口１６０２または１６０４からのボールの脱落に対する抵抗ももたらす。このわずかな間隔により、縁１６１２が第２のゾーン１６２４に確実に接触するようになり、間隙が最小化される。
【００６８】
マット、スタンド、およびボールを含む実施形態とは異なり、各ボール受口１６０２、１６０４は、フードまたは水が床の上に漏出するのを防ぐために閉鎖されている。各受口１６０２、１６０４は、床または他の支持表面上に直に載り、マット１６０８の残りの部分の最低平面と同じ平面内にある下面１６４０を有する。これにより、支持および構造的剛性がもたらされる。ボール受口側壁１６４２の抜き勾配は、ボール側壁１６４４の抜き勾配と実質的に一致し、これらの抜き勾配の両方が、調和した様式で、所与の水平平面内で、考察される点の横方向の角度の関数として変化する。図１９および図２０に示すように、図１９に示す、ボールの背面端でとったボール受口壁１６４２の抜き勾配およびボール側壁１６４４の抜き勾配は、ボールの側部でとったボール受口側壁１６４２およびボール側壁１６４４の抜き勾配と類似していてもよい。しかしながら、ボール受口側壁１６４２とボール側壁１６４４の両方の抜き勾配は、図１３および図１４に示すものと類似してボールの前面では大幅によりなだらかである。ボール縁１６１２が第２のゾーン１６２４と接触し、ボールおよびその内容物の全重量を支持するように、約０．０２０インチ（０．５０８ミリメートル）であってもよい間隙または隙間が、すべての点においてボール１６００の外面と受口側壁１６４２の上面との間に維持される。
【００６９】
要約すれば、改善されたペット給餌ステーションには、給餌するペットの頭を、余裕をもって収容するための、前方に延在した部分およびなだらか抜き勾配を有するボールが組み込まれている。スタンドの上部表面は、はみ出た食べかすおよび水を落とすように、凸状の構造を造っている。このシステムのマットは、スタンドを定位置に配置し、横方向せん断力およびねじれの力に対抗して、定位置に保持する機構を有する。スタンドのボール受口を取り囲む凸状リングによって、スタンドに対するボールのより容易なインデキシング（ｉｎｄｅｘｉｎｇ）および配置が可能になり、ペットによるスタンドからのボールの脱落が起こりにくくなる。指切り欠き部は、使用者が充填または洗浄のためにボールをスタンドからより容易に取り外すことができるように、各ボール受口に隣接して設けられている。
【００７０】
本発明の例示される実施形態を、添付の図面において説明し例示してきたが、本発明はそれらに限定されず、添付の特許請求の範囲の範囲および趣旨によってのみ限定される。
【符号の説明】
【００７１】
１００  給餌システム
１０２  第１のボール
１０４  第２のボール
１０６  スタンド
１０８  マット
１１０  前面
１１２  左側部
１１４  右側部
１１５  上部、スタンド上部
１１６  スタンド上部表面
１１８  背面側部
１２０  左基部
１２２  右基部
１２４  上縁、ボール上縁
１２６  内面、ボール内面
１２８  リップ、ボールリップ
１３０  ゾーン、外周ゾーン
１３２  肩部、上部表面肩部、上部肩部
１３４  全体上部マット表面、全体上部表面
１３６  壁、左側壁、左スタンド壁、スタンド壁、側壁、左脚部、左壁
１３８  壁、右脚部、右壁、右スタンド壁、スタンド壁、側壁、右脚部
１４０  隆起した外周へり
２００  隆起特徴部、弓形配置リブ、リブ、マット協働機構
２０２  隆起特徴部、弓形配置リブ、リブ、マット協働機構
２０４  中心、マット中心
２０６  ボール開口部、受口、ボール受口、開口部
２０８  ボール開口部、受口、ボール受口、開口部
２１０  壁、ボール開口部壁
４００  ボール軸、軸
４０２  上部平面、ｘｙ平面、ボール上部平面
４０４  底平面、ボール底平面
４０６  底
４０８  前部分
４１０  横部分
４１２  背面部分
４１４  直線区分
４１６  垂直基準
４１８  直線区分
４２０  垂直基準
４２２  直線区分
４２４  垂直基準
４２６  移行部
５００  頭部
５０２  イヌ、ペット
５０４  鼻
５０６  顎
６００  環状ゾーン、ゾーン
６０２  下方折り曲げ仕上げリップ
６０６  ボール外周部、外周部
６０８  円形区分
６１０  円形区分
６１２  第２の中心
６１４  円形区分、区分
６１６  円形区分、区分
６１８  最前面点外周部
６２０  ボール
６２２  側壁
６２４  環状部分
６２６  移行部分
６２８  水平外端
６３０  下方に傾斜した部分
６３２  環状リップ、リップ
７００  凹状弓形面、面、内面、内壁面、壁内側面
７０２  中心、垂直中心
７０４  内壁面、面、内面、内壁面
７０６  脚部フランジ
７０８  脚部フランジ、フランジ
７１０  中心リブ、リブ
７１２  前面壁
７１４  後壁
７１６  リブ
７１８  リブ
７２０  リブ
７２２  ｙｚ強化すみ板
７２４  ｙｚ強化すみ板
７２６  ｙｚ強化すみ板
７２８  ｘｚすみ板
７３０  すみ板
８００  外部円錐台面、面、弓形面、横方向外側弓形面、リブ外面、外側面
８０２  外側面、面、弓形面、横方向外側弓形面、リブ外面
８０４  点
８０６  点
８２０  マット
８２２  エリア、ボールト、アーチ型にたわんだ面、パネル
８２４  上部
８２６  上部
８２８  周辺地域
８３０  周辺地域
８３２  内部に面した面
８３４  内部に面した面
８３６  複数のリブ
９００  凹状谷部、谷部
１０００  後ろエリア、領域
１００２  後ろへり、へり
１００４  前エリア、領域
１００６  前へり、へり
１００８  前足
１２００  スタンド
１２０４  左側部、左スタンド側部、側部
１２０６  右側部、右スタンド側部、側部
１２０８  スタンド上部、上部
１２１０  後面
１２１２  右ボール受口、受口、ボール受口
１２１４  左ボール受口、受口、ボール受口
１２１６  ボール
１２１８  上部表面
１２２０  第１のゾーン
１２２２  第２のゾーン、ゾーン
１２２４  第３のゾーン、ゾーン
１２２６  上方凸状リング、凸状リング
１２２８  上部外周部
１２３０  指切り欠き部、切り欠き部
１２３２  上限
１２３４  ボール受口側壁、側壁、壁
１２３６  壁端、内側端
１２４０  外周リップ、リップ
１２４２  下面
１２４４  下方凹状リング、凹状リング
１２４６  外縁、リップ縁、縁
１２４８  床、切り欠き部床
１２５０  内側切り欠き部壁、内壁
１２５２  右側壁
１２５４  左側壁
１５００  マット
１５０２  直立弓形リブ、リブ
１５０４  直立弓形リブ、リブ
１５０６  内壁
１５０８  上部表面
１５１０  外壁
１５１２  エリア、中央エリア
１５１４  周辺エリア
１５１６  最高点
１５１８  ウェブ
１５２０  リブ
１６００  ボール
１６０２  ボール受口、受口
１６０４  ボール受口、受口
１６０６  メサ、ピア、高台
１６０８  マット
１６１０  下方凹状リング
１６１２  縁、ボール縁
１６１４  周囲上部マット表面、全体周囲マット表面
１６１６  直立壁、ピア壁
１６１８  横縁
１６２０  上部表面
１６２２  第１のゾーン
１６２４  第２のゾーン
１６２６  第３のゾーン
１６２８  上方凸状リング、凸状リング
１６３０  上限
１６３２  指切り欠き部、切り欠き部
１６３４  床
１６３５  切り欠き部内壁
１６３８  左壁
１６４０  下面
１６４２  ボール受口側壁
１６４４  受口側壁
１８１８  なし
Ｂ  出っ張り
Ｐ  点
ｒ１  半径、ボール半径
ｒ２  半径、ボール半径
ｒ３  半径、ボール半径
ｒ４  半径
ｒ５  半径
ｒ６  半径
ｒ７  半径
γ  角度
Ｓ１  半径
Ｓ２  半径
ｗ１  幅、リップ幅
ｗ２  幅、ゾーン幅
α  角度
β  角度
θ  水平角度
φＢ  角度
φＢ１  角度
φＲ  角度
φＲ１  受口側壁角度
φＲ２  受口側壁角度
【図１】
2019510516.tif 000003
【図１Ａ】
2019510516.tif 000004
【図２】
2019510516.tif 000005
【図３】
2019510516.tif 000006
【図４】
2019510516.tif 000007
【図５】
2019510516.tif 000008
【図６】
2019510516.tif 000009
【図６Ａ】
2019510516.tif 000010
【図６Ｂ】
2019510516.tif 000011
【図７】
2019510516.tif 000012
【図８】
2019510516.tif 000013
【図８Ａ】
2019510516.tif 000014
【図８Ｂ】
2019510516.tif 000015
【図９】
2019510516.tif 000016
【図１０】
2019510516.tif 000017
【図１１】
2019510516.tif 000018
【図１２Ａ】
2019510516.tif 000019
【図１２Ｂ】
2019510516.tif 000020
【図１３】
2019510516.tif 000021
【図１４】
2019510516.tif 000022
【図１５】
2019510516.tif 000023
【図１５Ａ】
2019510516.tif 000024
【図１５Ｂ】
2019510516.tif 000025
【図１６】
2019510516.tif 000026
【図１７】
2019510516.tif 000027
【図１８】
2019510516.tif 000028
【図１９】
2019510516.tif 000029
【図２０】
2019510516.tif 000030
【国際調査報告】
2019510516.tif 000031
2019510516.tif 000032
2019510516.tif 000033
2019510516.tif 000034